(57)【特許請求の範囲】
【請求項１】
複数の同時スケジューリング要求送信を処理するユーザ機器（ＵＥ）であって、
送受信機と、
前記送受信機に結合されたプロセッサと、前記プロセッサに結合されたメモリとを備え、前記メモリにおける複数の命令は、前記プロセッサが、
第１のセルグループについての第１のスケジューリング要求送信を受信し、第２のセルグループについての第２のスケジューリング要求送信を受信し、
前記第１のスケジューリング要求および前記第２のスケジューリング要求の一方がより高い優先度を有し、前記第１のスケジューリング要求および前記第２のスケジューリング要求の他方がより低い優先度を有することを決定し、
より低い優先度を有する前記スケジューリング要求を処理せずに、より高い優先度を有する前記スケジューリング要求を処理する、ように構成される、ＵＥ。
【請求項２】
前記メモリにおける複数の命令は、前記プロセッサがより早く受信されたスケジューリング要求に対してより高い優先度を割り当て、後で受信されるスケジューリング要求に対してより低い優先度を割り当てるようにさらに構成される、請求項１に記載のＵＥ。
【請求項３】
前記メモリにおける複数の命令は、前記プロセッサがマスタセルグループから受信されたスケジューリング要求に対してより高い優先度を割り当て、セカンダリセルグループから受信されたスケジューリング要求に対してより低い優先度を割り当てるようにさらに構成される、請求項１または２に記載のＵＥ。
【請求項４】
前記メモリにおける複数の命令は、前記プロセッサがより低い優先度を有する前記スケジューリング要求の処理を次の利用可能なスケジューリング要求リソースまで遅延させるようにさらに構成される、請求項１から３のいずれか一項に記載のＵＥ。
【請求項５】
前記メモリにおける複数の命令は、前記プロセッサが、
より低い優先度を有する前記スケジューリング要求送信をドロップし、
より低い優先度を有する前記スケジューリング要求送信がドロップされたことを、媒体アクセス制御（ＭＡＣ）層に対して示す、ようにさらに構成される、
請求項１から４のいずれか一項に記載のＵＥ。
【請求項６】
前記メモリにおける複数の命令は、物理アップリンク制御チャネル（ＰＵＣＣＨ）において、スケジューリング要求が処理されていることを前記プロセッサがシグナリングするようにさらに構成される、請求項１から５のいずれか一項に記載のＵＥ。
【請求項７】
前記メモリにおける複数の命令は、前記プロセッサが、
マスタセルグループからスケジューリング要求送信が受信される場合、現在処理されているセカンダリセルグループからのスケジューリング要求をドロップし、
前記マスタセルグループについての前記スケジューリング要求を処理するようにさらに構成される、
請求項１から６のいずれか一項に記載のＵＥ。
【請求項８】
前記メモリにおける複数の命令は、前記プロセッサが、
媒体アクセス制御（ＭＡＣ）層において、マスタセルグループおよびセカンダリセルグループの両方に用いられるスケジューリング要求禁止タイマを提供し、
物理（ＰＨＹ）層が、後で受信されるスケジューリング要求のために物理アップリンク制御チャネル（ＰＵＣＣＨ）においてスケジューリング要求をシグナリングすることを防ぐ、ようにさらに構成される、
請求項１から７のいずれか一項に記載のＵＥ。
【請求項９】
前記メモリにおける複数の命令は、前記プロセッサが、
媒体アクセス制御（ＭＡＣ）層におけるマスタセルグループのために第１のスケジューリング要求禁止タイマを提供し、
前記ＭＡＣ層におけるセカンダリセルグループのために第２のスケジューリング要求禁止タイマを提供し、
前記マスタセルグループおよび前記セカンダリセルグループのうち一方のために後で受信されるスケジューリング要求の処理を、前記マスタセルグループおよび前記セカンダリセルグループのうちの他方のもののために処理されている任意の進行中のスケジューリング要求がある場合、次のスケジューリング要求まで遅延させる、ようにさらに構成される、
請求項１から８のいずれか一項に記載のＵＥ。
【請求項１０】
複数の命令が格納されているプログラムであって、ユーザ機器（ＵＥ）により実行された場合、
第１のセルグループのための第１のスケジューリング要求送信および第２のセルグループのための第２のスケジューリング要求送信を受信する手順と、
前記第１のスケジューリング要求および前記第２のスケジューリング要求の一方がより高い優先度を有し、前記第１のスケジューリング要求および前記第２のスケジューリング要求の他方がより低い優先度を有することを決定する手順と、
より低い優先度を有する前記スケジューリング要求を処理せずに、より高い優先度を有する前記スケジューリング要求を処理する手順と、をもたらす、プログラム。
【請求項１１】
前記決定する手順は、より早く受信されるスケジューリング要求により高い優先度を割り当て、後で受信されるスケジューリング要求により低い優先度を割り当てる手順を有する、請求項１０に記載のプログラム。
【請求項１２】
前記決定する手順は、マスタセルグループから受信されるスケジューリング要求により高い優先度を割り当て、セカンダリセルグループから受信されるスケジューリング要求により低い優先度を割り当てる手順を備える、請求項１０または１１に記載のプログラム。
【請求項１３】
前記複数の命令は、前記ＵＥにより実行された場合、より低い優先度を有する前記スケジューリング要求の処理を、次の利用可能なスケジューリング要求リソースまで遅延させる手順を有することをさらにもたらす、請求項１０から１２のいずれか一項に記載のプログラム。
【請求項１４】
前記複数の命令は、前記ＵＥにより実行された場合、
より低い優先度を有する前記スケジューリング要求送信をドロップする手順と、
より低い優先度を有する前記スケジューリング要求送信がドロップされたことを、媒体アクセス制御（ＭＡＣ)層に示す手順と、をさらにもたらす、
請求項１０から１３のいずれか一項に記載のプログラム。
【請求項１５】
前記複数の命令は、前記ＵＥにより実行された場合、物理アップリンク制御チャネル（ＰＵＣＣＨ）において、スケジューリング要求が処理されていることをシグナリングする手順をさらにもたらす、請求項１０から１４のいずれか一項に記載のプログラム。
【請求項１６】
前記複数の命令は、前記ＵＥにより実行された場合、
マスタセルグループからのスケジューリング要求送信が受信された場合、現在処理されているセカンダリセルグループからスケジューリング要求をドロップする手順と、
前記マスタセルグループのために前記スケジューリング要求を処理する手順と、
をさらにもたらす、請求項１０から１５のいずれか一項に記載のプログラム。
【請求項１７】
前記複数の命令は、前記ＵＥにより実行された場合、
媒体アクセス制御（ＭＡＣ）層において、マスタセルグループおよびセカンダリセルグループの両方に用いられるスケジューリング要求禁止タイマを提供する手順と、
物理（ＰＨＹ）層が、後で受信されるスケジューリング要求のための物理アップリンク制御チャネル（ＰＵＣＣＨ）においてスケジューリング要求をシグナリングすることを防止する手順と、をさらにもたらす、
請求項１０から１６のいずれか一項に記載のプログラム。
【請求項１８】
前記複数の命令は、前記ＵＥにより実行された場合、
媒体アクセス制御（ＭＡＣ）層におけるマスタセルグループのための第１のスケジューリング要求禁止タイマを提供する手順と、
前記ＭＡＣ層におけるセカンダリセルグループのための第２のスケジューリング要求禁止タイマを提供する手順と、
前記マスタセルグループおよび前記セカンダリセルグループのうち一方のために後で受信されるスケジューリング要求の処理を、前記マスタセルグループおよび前記セカンダリセルグループのうちの他方のために処理されている任意の進行中のスケジューリング要求がある場合に、次のスケジューリング要求まで遅延させる手順と、をさらにもたらす、請求項１０から１７のいずれか一項に記載のプログラム。
【請求項１９】
複数の同時スケジューリング要求送信をユーザ機器（ＵＥ）が処理する方法であって、
第１のセルグループについての第１のスケジューリング要求送信および第２のセルグループについての第２のスケジューリング要求送信を受信する段階と、
前記第１のスケジューリング要求および前記第２のスケジューリング要求の一方がより高い優先度を有し、前記第１のスケジューリング要求および前記第２のスケジューリング要求の他方がより低い優先度を有することを決定する段階と、
より低い優先度を有する前記スケジューリング要求を処理せずに、より高い優先度を有する前記スケジューリング要求を処理する段階と、
を備える、方法。
【請求項２０】
前記決定する段階は、より早く受信されたスケジューリング要求に対してより高い優先度を割り当て、後で受信されるスケジューリング要求に対してより低い優先度を割り当てる段階を有する、請求項１９に記載の方法。
【請求項２１】
前記決定する段階は、マスタセルグループから受信されたスケジューリング要求により高い優先度を対して割り当て、セカンダリセルグループから受信されるスケジューリング要求に対してより低い優先度を割り当てる段階を有する、請求項１９または２０に記載の方法。
【請求項２２】
より低い優先度を有する前記スケジューリング要求の処理を次の利用可能なスケジューリング要求リソースまで遅延させる段階をさらに備える、請求項１９から２１のいずれか一項に記載の方法。
【請求項２３】
より低い優先度を有する前記スケジューリング要求送信をドロップする段階と、
より低い優先度を有する前記スケジューリング要求送信がドロップされたことを、媒体アクセス制御（ＭＡＣ）層に対して示す段階と、
をさらに備える、請求項１９から２２のいずれか一項に記載の方法。
【請求項２４】
物理アップリンク制御チャネル（ＰＵＣＣＨ）において、スケジューリング要求が処理されていることをシグナリングする段階をさらに備える、請求項１９から２３のいずれか一項に記載の方法。
【請求項２５】
マスタセルグループからスケジューリング要求送信が受信される場合、現在処理されているセカンダリセルグループからのスケジューリング要求をドロップする段階と、
前記マスタセルグループについての前記スケジューリング要求を処理する段階と、
をさらに備える、請求項１９から２４のいずれか一項に記載の方法。
【請求項２６】
媒体アクセス制御（ＭＡＣ）層において、マスタセルグループおよびセカンダリセルグループの両方に用いられるスケジューリング要求禁止タイマを提供する段階と、
物理（ＰＨＹ）層が、後で受信されるスケジューリング要求のために物理アップリンク制御チャネル（ＰＵＣＣＨ）においてスケジューリング要求をシグナリングすることを防止する段階と、
をさらに備える、請求項１９から２５のいずれか一項に記載の方法。
【請求項２７】
媒体アクセス制御（ＭＡＣ）層においてマスタセルグループのための第１のスケジューリング要求禁止タイマを提供する段階と、
前記ＭＡＣ層におけるセカンダリセルグループのための第２のスケジューリング要求禁止タイマを提供する段階と、
前記マスタセルグループおよび前記セカンダリセルグループのうち一方のために後で受信されるスケジューリング要求の処理を、前記マスタセルグループおよび前記セカンダリセルグループのうちの他方のために処理されている任意の進行中のスケジューリング要求がある場合、次のスケジューリング要求まで遅延させる段階と、をさらに備える、
請求項１９から２６のいずれか一項に記載の方法。
【請求項２８】
請求項１９から２７のいずれか一項に記載の方法を実行する手段を備える、ユーザ機器（ＵＥ）。
【請求項２９】
実行された場合、請求項１から９および１９から２８のうちいずれか一項に記載の方法またはユーザ機器（ＵＥ）を実装または実現する複数の機械可読命令を含む、機械可読記憶装置。
【請求項３０】
請求項１０から１８のいずれか一項に記載のプログラムを格納している、コンピュータ可読記録媒体。
【発明の詳細な説明】
【技術分野】
【０００１】
［関連出願の相互参照］本願は、２０１４年４月２７日に出願された米国特許出願第１４／６９６，５８７号の利益を主張し、当該出願は、同様に、２０１４年４月２８日に出願された米国特許仮出願第６１／９８５，３５２号の利益を主張する。本願は、また、２０１４年４月２８日に出願された米国仮特許出願第６１／９８５，３５２号の利益を主張する。上記出願第１４／６９６，５８７号および上記出願第６１／９８５，３４９号は、ここにそれらの全体の参照により本明細書に組み込まれる。
【背景技術】
【０００２】
デュアル接続性（ＤＣ）は、所定のユーザ機器（ＵＥ）が、理想的ではないバックホールに接続された少なくとも２つの異なるネットワークポイントによって提供される複数の無線リソースを消費する動作である。さらに、ＵＥのためにＤＣに含まれる各進化型ノードＢ（ｅＮＢ）は、複数の異なる役割を想定してよい。複数のそのような役割は、必ずしもｅＮＢのパワークラスに依存せず、異なるＵＥの中で変わり得る。キャリアアグリゲーション（ＣＡ）のコンテクストにおいて、スケジューリング要求（ＳＲ）が、プライマリセル（ＰＣｅｌｌ）のみにおいて、物理アップリンク制御チャネル（ＰＵＣＣＨ）フォーマット１を用いて送信されるが、セカンダリセル（ＳＣｅｌｌ）において送信されることは許可されていない。ＤＣにおいて、ＳＲもまた、特別なセカンダリセル（ｐＳＣｅｌｌ）においてＰＵＣＣＨフォーマット１を用いて送信され得る。ＰＣｅｌｌおよびｐＳＣｅｌｌの２つのＳＲ送信が同時に起こる場合、ＵＥの全電力が用いられない可能性があり、特にＵＥが電力制限された状況にある場合にＵＥについて否定的な影響を結果としてもたらす。
【図面の簡単な説明】
【０００３】
特許請求の範囲に記載された主題は、明細書の結び部分で具体的に指摘され、明確に主張される。しかしながら、そのような主題は、添付の図面を読んだ場合に、以下の詳細な説明を参照することで理解され得る。
【０００４】
【図１】１または複数の実施形態による、より高レベルのアグリゲーションポイントを有するデュアル接続性ネットワークの図である。
【０００５】
【図２】１または複数の実施形態によって、マスタ強化されたノードＢがアグリゲーションポイントとして機能するデュアル接続性ネットワークの図である。
【０００６】
【図３】１または複数の実施形態による図１または図２の複数のネットワークのユーザ機器および無線アクセスネットワークノードのためのネットワークプロトコル層の図である。
【０００７】
【図４】１または複数の実施形態による複数の異なるセルグループから、複数のスケジューリング要求を受信するためのユーザ機器の図である。
【０００８】
【図５】１または複数の実施形態によるシステム無線ベアラを介して、複数の異なるセルグループから複数のスケジューリング要求を受信するためのユーザ機器の図である。
【０００９】
【図６】１または複数の実施形態によるデュアル接続性における同時スケジューリング要求送信を処理することが可能な情報処理システムのブロック図である。
【００１０】
【図７】１または複数の実施形態によるタッチスクリーンを任意に含んでよい図６の情報処理システムの等角図である。
【００１１】
例示の簡潔性および／または明瞭性のため、複数の図面に示される複数の要素は必ずしも縮尺通りに描かれていなかったことが理解されるであろう。例えば、明瞭性のため、いくつかの要素の寸法は、他の要素に対して強調され得る。さらに、適切と考えられる場合には、複数の図面間で対応および／または類似する複数の要素を示すべく複数の参照番号が繰り返されている。
【発明を実施するための形態】
【００１２】
以下の詳細な説明において、特許請求の範囲に記載された主題の完全な理解を提供するべく、多数の具体的な詳細が記述されている。しかしながら、特許請求の範囲に記載された主題は、これらの具体的な詳細が無くても実施され得ることが、当業者によって理解されるであろう。他の複数の例において、周知の方法、手順、コンポーネントおよび／または回路は、詳細に説明されていない。
【００１３】
以下の説明および／または特許請求の範囲において、「結合された」という用語、および／または、「接続された」という用語が、それらの派生語と共に用いられ得る。複数の特定の実施形態において、「接続された」は、２つまたはそれより多くの要素が互いに直接、物理的および／または電気的に接触することを示すのに用いられ得る。「結合された」は、２つまたはそれより多くの要素が直接、物理的および／または電気的に接触することを意味し得る。しかしながら、「結合された」は、また、２つまたはそれより多くの要素が互いに直接接触しないかもしれないが、それでもまだ互いに協働および／または相互作用し得ることも意味し得る。例えば、「結合された」は、２つまたはそれより多くの要素が、互いに接触しないが、別の要素または複数の中間要素を介して、間接的に共に連結されることを意味し得る。最後に、「上の（ｏｎ）」、「上にある（ｏｖｅｒｌｙｉｎｇ）」および「上方に（ｏｖｅｒ）」といった複数の用語が、以下の説明および特許請求の範囲で用いられ得る。「上の（ｏｎ）」、「上にある（ｏｖｅｒｌｙｉｎｇ）」および「上方に（ｏｖｅｒ）」は、２つまたはそれより多くの要素が互いに直接、物理的に接触することを示すのに用いられ得る。しかしながら、「上方に（ｏｖｅｒ）」は、また、２つまたはそれより多くの要素が互いに直接接触しないことも意味し得る。例えば、「上方に（ｏｖｅｒ）」は、１つの要素が別の要素の上にあるが、互いに接触しておらず、その２つの要素の中間に別の要素または複数の要素を有し得ることを意味し得る。さらに、特許請求の範囲に記載された主題の範囲はこの点で限定されないが、「および／または」という用語は、「および」を意味し得、「または」を意味し得、「排他的な「または」」を意味し得、「１つ」を意味し得、「いくつかであるが全てではない」を意味し得、「どちらでもない」を意味し得、および／または、「両方」を意味し得る。以下の説明および／または特許請求の範囲において、「備える（ｃｏｍｐｒｉｓｅ）」および「含む（ｉｎｃｌｕｄｅ）」といった複数の用語が、それらの派生語と共に用いられ得、互いに類義語として意図されている。
【００１４】
ここで図１および図２を参照すると、１または複数の実施形態によって、より高レベルのアグリゲーションポイントを有し、マスタ強化されたノードＢがそれぞれアグリゲーションポイントとして機能するデュアル接続性ネットワークの複数の図が論じられるであろう。図１および図２に示されるように、ネットワーク１００は、ユーザ機器（ＵＥ）１１０がプライマリセル１１２、並びにセカンダリセル１１４および／またはセカンダリセル１１６等の１または複数のセカンダリセルと同時に接続する、デュアル接続性を実装し得る。ネットワーク１００は、ロングタームエボリューション（ＬＴＥ）規格、例えばＬＴＥリリース１２等の第３世代パートナーシッププロジェクト（（３ＧＰＰ））規格に準拠してもよく、特許請求の範囲に記載された主題の範囲はこの点で限定されない。１または複数の実施形態において、プライマリセル１１２、セカンダリセル１１４、またはセカンダリセル１１６の１または複数は、同一チャネル配置、異周波数間配置、および／またはマクロセル配置のアウトオブカバレッジ（ｏｕｔ  ｏｆ  ｃｏｖｅｒａｇｅ）を提供するべく、進化型ノードＢ（ｅＮＢ）および／または他の複数の小型セルを備えてもよい。特許請求の範囲に記載された主題の範囲は、これらの点で限定されない。１または複数の実施形態において、プライマリセル１１２は、マスタセルまたはマスタｅＮＢと呼ばれてもよく、特許請求の範囲に記載された主題の範囲は、この点で限定されない。ネットワーク１００の１または複数のセルは、マスタセルグループが、プライマリセル１１２もしくはマスタｅＮＢと関連しているサービングセルもしくはノードのグループを指し得、セカンダリセルグループが、セカンダリセル１１４もしくはセカンダリセル１１６等のセカンダリｅＮＢと関連している機能セルのグループを指す、セルグループを備えてもよい。マスタｅＮＢは、Ｓ１モビリティ管理エンティティ（Ｓ１‐ＭＭＥ）で終端するｅＮＢを指し得、セカンダリｅＮＢは、ＵＥ１１０のために複数の追加の無線リソースを提供する、マスタｅＮＢではないｅＮＢまたはセルであってよい。さらに、図１に示されるもの等のデュアル接続性配置において、ベアラ（ｂｅａｒｅｒ）が、２またはそれより多いｅＮＢの間で分割され得る。
【００１５】
図１に示されるように、プライマリセル１１２、セカンダリセル１１４、およびセカンダリセル１１６は、より高レベルのアグリゲーションポイント１２２を介して、例えばルータ１１８を介して、理想的ではないバックホールに接続され得る。アグリゲーションポイント１２２は、複数のデュアル接続性ネットワークノードをネットワーク１００の進化型パケットコア（ＥＰＣ）１２０に接続する。図２に示されるように、プライマリセル１１２は、ＥＰＣ１２０への接続性のための全てのセルについてのアグリゲーションポイント１２２として動作するように構成され得る。１または複数の実施形態において、デュアル接続性配置が提供される場合、複数の異なるセルグループを備えるネットワーク１００の複数の無線ノードは、複数のスケジューリング要求を、同時にまたは任意の重複した複数の部分において、例えばサブフレームレベル、または別のやり方で、電力制限されたおよび電力制限されていない状況の両方について、送信することは許されていない。同時スケジューリング要求は、２つのスケジューリング要求送信が、複数のスケジューリング要求が完全に重複してもよい同じサブフレームで生じる場合として定義されてもよく、あるいは先のスケジューリング送信が第１のセルグループから生じており、後続のスケジューリング送信が、複数のスケジューリング要求がサブフレームで部分的に重複し得る第２のセルグループから生じる場合として定義されてもよい。さらに詳細に論じられるように、以下において、様々な実施形態が、そのような重複する複数のスケジューリング要求が、例えば、ＵＥ１１０がそれの送信電力を完全に使用するのを可能にすることを防いでもよい。
【００１６】
ここで図３を参照すると、１または複数の実施形態による、図１または図２のネットワークのユーザ機器および無線アクセスネットワークノードのための複数のネットワークプロトコル層の図が論じられるであろう。１または複数の実施形態において、ＵＥ１１０は、図１および図２に示されるように、物理（ＰＨＹ）層３１２、媒体アクセス制御（ＭＡＣ）層３１４、無線リンク制御（ＲＬＣ）層３１６、パケットデータコンバージェンスプロトコル（ＰＤＣＰ）層３１８、および／または無線リソース制御（ＲＲＣ）層３２０を含むネットワークプロトコル層３１０を実装し得るが、特許請求の範囲に記載された主題の範囲は、この点で限定されない。同様に、プライマリセル１１２、セカンダリセル１１４、および／またはセカンダリセル１１６等の、ネットワーク１００のノードの１または複数は、物理（ＰＨＹ）層３２４、媒体アクセス制御（ＭＡＣ）層３２６、無線リンク制御（ＲＬＣ）層３２８、パケットデータコンバージェンスプロトコル（ＰＤＣＰ）層３３０、および／または無線リソース制御（ＲＲＣ）層３３２を含むネットワークプロトコル層３２２を実装し得るが、特許請求の範囲に記載された主題の範囲は、この点で限定されない。物理アップリンク制御チャネル３３４は、ネットワーク１００のＵＥ１１０と１または複数のノードとの間のアップリンク制御情報を搬送するべく、ＰＨＹ層３１２とＰＨＹ層３２４との間で提供され得る。
【００１７】
１または複数の実施形態では、複数のスケジューリング要求を処理する２つの場合があり得る。第１の場合は、ＭＡＣ層３１４等のＭＡＣ層において、例えば、ｓｒ‐ＰｒｏｈｉｂｉｔＴｉｍｅｒ１およびｓｒ‐ＰｒｏｈｉｂｉｔＴｉｍｅｒ２等の２つの異なるスケジューリング要求禁止タイマ（ｓｒ‐ＰｒｏｈｉｂｉｔＴｉｍｅｒ）を用いる別個のスケジューリング要求処理を含み得る。第２の場合は、ＭＡＣ層３１４等のＭＡＣ層において、例えばｓｒ‐ＰｒｏｈｉｂｉｔＴｉｍｅｒ１等の単一のｓｒ‐ＰｒｏｈｉｂｉｔＴｉｍｅｒを用いる共通のスケジューリング要求処理を含み得る。以下でさらに詳細に論じられるように、２またはそれより多い異なるセルグループから複数のスケジューリング要求送信が同じフレームを有する場合、完全に重複するか少なくとも部分的に重複するかのいずれが用いられるかに関わらず、一般的に複数のスケジューリング要求のうち１つのみが、起こることが可能である。
【００１８】
ここで図４を参照すると、１または複数の実施形態による複数の異なるセルグループから複数のスケジューリング要求を受信するためのユーザ機器の図が論じられるであろう。いくつかの実施形態において、複数の異なるセルグループからの複数の同時スケジューリング要求送信は、物理（ＰＨＹ）層３１２において処理され得る。１つのそのような実施形態において、第１のスケジューリング要求（ＳＲ１）が、マスタセルグループ４１０等の第１のセルグループから送信され得、第２のスケジューリング要求（ＳＲ２）は、セカンダリセルグループ４１２等の第２のセルグループから送信され得る。そのような状況において、より早いかまたは先のスケジューリング要求送信が優先度を有し、後のスケジューリング要求送信は、次の利用可能なスケジューリング要求リソースにおいて送信されるように保留させられる。代わりに、マスタセルグループ４１０からのスケジューリング要求送信（ＳＲ１）は、マスタセルグループ４１０以外のセルグループからのスケジューリング要求送信、例えばセカンダリセルグループ４１２からのスケジューリング要求送信（ＳＲ２）に対してより高い優先度を有してよい。そのような場合、マスタセルグループ４１０からのものではないスケジューリング要求送信はドロップされ、ＵＥ１１０は、マスタセルグループ４１２からのものではないスケジューリング要求送信がドロップされたことをＭＡＣ層３１４に示す。ＭＡＣ層３１４は、次に、スケジューリング要求が保留していることを示すべく、物理アップリンク制御チャネル（ＰＵＣＣＨ）３３４においてスケジューリング要求をシグナリングするようにＰＨＹ層３１２に命令し得る。先のスケジューリング要求送信がセカンダリセルグループ４１２からであり、後のスケジューリング要求送信がマスタセルグループ４１０からである場合、セカンダリセルグループ４１２からのスケジューリング要求送信（ＳＲ２）はドロップされ、マスタセルグループ４１０からのスケジューリング要求送信（ＳＲ１）は継続し得る。
【００１９】
１または複数の代替的実施形態において、複数の異なるセルグループからの複数の同時スケジューリング要求送信は、媒体アクセス制御（ＭＡＣ）層３１４において処理され得る。いくつかの実施形態において、ユーザ機器（ＵＥ）１１０は、マスタ進化型ノードＢ（ＭｅＮＢ）を含むマスタセルグループ４１０およびセカンダリ進化型ノードＢ（ＳｅＮＢ）を含むセカンダリセルグループ４１２の両方について、単一のスケジューリング要求禁止タイマ（ｓｒ‐ＰｒｏｈｉｂｉｔＴｉｍｅｒ）を有する。マスタセルグループ４１０およびセカンダリセルグループ４１２の両方のための共通のｓｒ‐ＰｒｏｈｉｂｉｔＴｉｍｅｒを有することで、別のセルグループについての前のスケジューリング要求スケジュールよりも後でトリガされたセルグループについてのスケジューリング要求は、次に利用可能なスケジューリング要求機会に対して自動的に保留し得る。例えば、以下の既存の複数の命令がセル毎に生じると想定すると、物理アップリンク制御チャネル（ＰＵＣＣＨ）３３４におけるシグナリング要求にシグナリングするための物理（ＰＨＹ）層３１２への命令は、別のセルグループのために後でトリガされるスケジューリング要求について実行されることができない。代わりに、他のセルグループのために後でトリガされるスケジューリング要求について、物理アップリンク制御チャネルＰＵＣＣＨ３３４におけるシグナリング要求にシグナリングするためのＰＨＹ層３１２への命令は、次のスケジューリング要求の機会で実行されるであろう。
【００２０】
アップリンク共有チャネル（ＵＬ−ＳＣＨ）リソースがどれも、この送信時間間隔（ＴＴＩ）における送信のために利用可能でない場合：
‐ユーザ機器（ＵＥ）が、任意のＴＴＩにおいて設定されたスケジューリング要求（ＳＲ）についての有効な物理アップリンク制御チャネル（ＰＵＣＣＨ）リソースを有していない場合、プライマリセル（ＰＣｅｌｌ）においてランダムアクセス手順を開始し、全ての保留中のＳＲをキャンセルする。
‐さもなければ、ＵＥが、このＴＴＩのために設定されたＳＲについて有効なＰＵＣＣＨリソースを有する場合、およびこのＴＴＩが測定ギャップの一部ではない場合、およびｓｒ‐ＰｒｏｈｉｂｉｔＴｉｍｅｒが実行されていない場合：
‐スケジューリング要求カウンタ（ＳＲ＿ＣＯＵＮＴＥＲ）＜ｄｓｒ−ＴｒａｎｓＭａｘである場合：
‐ＳＲ＿ＣＯＵＮＴＥＲを１でインクリメントし、
‐物理層にＰＵＣＣＨにおけるＳＲにシグナリングするように命令し、
‐ｓｒ‐ＰｒｏｈｉｂｉｔＴｉｍｅｒをスタートし、
‐さもなければ：
‐全てのサービングセルについてＰＵＣＣＨ／ＳＲＳをリリースすることをＲＲＣに通知し、
‐設定されたダウンリンク割り当ておよびアップリンクグラントはいずれも消去し
‐ＰＣｅｌｌにおいてランダムアクセス手順を開始し、全ての保留中のＳＲをキャンセルする。
【００２１】
代替的実施形態において、ＵＥ１１０は、ＭｅＮＢを含むマスタセルグループ４１０およびＳｅＮＢを含むセカンダリセルグループ４１２のために独立したｓｒ‐ＰｒｏｈｉｂｉｔＴｉｍｅｒを有してもよい。ＵＥ１１０が、マスタセルグループ４１０およびセカンダリセルグループ４１２について異なるｓｒ‐ＰｒｏｈｉｂｉｔＴｉｍｅｒを有する場合、ＵＥ１１０は、進行中の先のスケジューリング要求送信があるか確認するためのさらなるステップを実行してもよい。万が一、任意の進行中の先のスケジューリング要求送信がある場合、例えば以下の複数のサンプル命令において示されるように、次に、後のスケジューリング要求トリガは、次に利用可能なスケジューリング要求機会まで保留され得る。
【００２２】
アップリンク共有チャネル（ＵＬ−ＳＣＨ）リソースがどれも、この送信時間間隔（ＴＴＩ）における送信のために利用可能でない場合：
‐ユーザ機器（ＵＥ）が任意のＴＴＩにおいて設定されたスケジューリング要求のための有効な物理アップリンク制御チャネル（ＰＵＣＣＨ）リソースを有していない場合：プライマリセル（ＰＣｅｌｌ）においてランダムアクセス手順を開始し、全ての保留中のＳＲをキャンセルする。
‐さもなければ、ＵＥがこのＴＴＩのために設定されたＳＲについての有効なＰＵＣＣＨリソースを有する場合、およびこのＴＴＩが測定ギャップの一部ではない場合、およびｓｒ‐ＰｒｏｈｉｂｉｔＴｉｍｅｒが実行されていない場合、およびいずれの他のセルグループのために進行中のＳＲ送信も無い場合：
‐ＳＲ＿ＣＯＵＮＴＥＲ＜ｄｓｒ−ＴｒａｎｓＭａｘである場合：
‐ＳＲ＿ＣＯＵＮＴＥＲを１でインクリメントし、
‐物理層にＰＵＣＣＨにおけるＳＲにシグナリングするように命令し、
ｓｒ‐ＰｒｏｈｉｂｉｔＴｉｍｅｒをスタートし、
‐さもなければ：
‐全てのサービングセルについてＰＵＣＣＨ／ＳＲＳをリリースすることを無線リソース制御（ＲＲＣ）に通知し、
‐設定されたダウンリンク割り当ておよびアップリンクグラントはいずれも消去し、
‐ＰＣｅｌｌにおいてランダムアクセス手順を開始し、全ての保留中のＳＲをキャンセルする。
【００２３】
ここで図５を参照すると、１または複数の実施形態によるシステム無線ベアラを介して複数の異なるセルグループから複数のスケジューリング要求を受信するためのユーザ機器の図が、論じられるであろう。いくつかの実施形態において、複数の異なるセルグループからの複数の同時スケジューリングリソース送信の処理は、ネットワーク１００のネットワーク構成により処理され得る。そのような実施形態において、システム無線ベアラ（ＳＲＢ）５１０は、マスタセルグループ４１０を介して送信されてもよく、マスタ進化型ノードＢ（ｅＮＢ）を含むマスタセルグループ４１０およびセカンダリ進化型ノードＢ（ＳｅＮＢ）を含むセカンダリセルグループ４１２の両方のための独立したスケジューリングリソース設定を有してもよい。結果として、マスタセルグループ４１０およびセカンダリセルグループ４１２の両方について受信された複数のスケジューリング要求設定は、マスタセルグループ４１０のマスタ進化型ノードＢ（ＭｅＮＢ）を介してシグナリングされてもよい。従って、ネットワーク１００は、複数の異なるセルグループから受信された複数のスケジューリング要求設定は、所定のＵＥ１１０について互いに重複しないであろうことを保証することが可能である。そのような実装において、ＵＥ１１０は、マスタセルグループ４１０およびセカンダリセルグループ４１２の間には重複したスケジューリング要求リソースは無いと仮定してよい。例えば、マスタセルグループ４１０は、セカンダリセルグループからスケジューリング要求ＳＲ２を受信してよく、ＳＲＢ５１０において設定された場合、スケジューリング要求ＳＲ２がそれ自体のスケジューリング要求ＳＲ１と重複しないことを保証してよい。１つの特定の実施形態において、複数のスケジューリング要求送信が偶然同時に起こる場合、複数の利用可能な送信のうち１つを選択するのは、ＵＥ１１０次第であってよい。
【００２４】
複数の代替的実施形態において、ネットワーク１００は、スケジューリング要求設定が、複数のセルグループの間で重複するように構成されていないことを保証する。システム無線ベアラ（ＳＲＢ）５１０がマスタセルグループ４１０を介して送信されることから、ネットワーク１００は、セルグループ毎にスケジューリング要求設定を提供することが可能である。そうすることにより、スケジューリング要求設定は、互いに重複しない。例えば、マスタセルグループ４１０は、それ自体およびセカンダリセルグループ４１２の両方についての全てのスケジューリング要求を提供することが可能であり、２つのスケジューリング要求設定が互いに重複しないことを保証することが可能である。ある配置において、ＵＥ１１０は、スケジューリング要求送信が重複する場合は無いであろうと仮定してよい。
【００２５】
ここで図６を参照すると、１または複数の実施形態によるデュアル接続性において同時スケジューリング要求送信を処理することが可能な情報処理システムのブロック図が論じられるであろう。図６の情報処理システム６００は、本明細書において上記で説明された複数の要素の任意の１または複数を実体的に具現し得、それらは、例えば、ＵＥ１１０、プライマリセル１１２、セカンダリセル１１４、セカンダリセル１１６、ルータ１１８、および／またはＥＰＣ１２０を含み、より多くのまたはより少ないコンポーネントは、特定のデバイスのハードウェア仕様に依存する。情報処理システム６００はいくつかのタイプのコンピューティングプラットフォームの一例を表しているが、情報処理システム６００は、図６に示されるものよりも多いまたは少ない要素、および／または、それとは異なる複数の要素配置を含んでもよい。特許請求の範囲に記載された主題の範囲は、これらの点で限定されない。
【００２６】
１または複数の実施形態において、情報処理システム６００は、アプリケーションプロセッサ６１０およびベースバンドプロセッサ６１２を含んでもよい。アプリケーションプロセッサ６１０は、情報処理システム６００用の複数のアプリケーションおよび様々なサブシステムを実行する汎用プロセッサとして利用されてもよい。アプリケーションプロセッサ６１０は、単一コアを含んでもよく、または代わりに、複数のコアの１または複数がデジタル信号プロセッサまたはデジタル信号処理（ＤＳＰ）コアを有し得る、複数の多重処理コアを含んでもよい。さらに、アプリケーションプロセッサ６１０は、同じチップ上に配置されたグラフィックプロセッサもしくはコプロセッサを含んでもよく、または代わりに、アプリケーションプロセッサ６１０に結合されたグラフィックプロセッサが、分離した別個のグラフィックスチップを有してもよい。アプリケーションプロセッサ６１０は、キャッシュメモリ等のオンボードメモリを含んでもよく、さらに、動作中に複数のアプリケーションを格納および／または実行するためのシンクロナスダイナミックランダムアクセスメモリ（ＳＤＲＡＭ）６１４、および、情報処理システム６００が電源をオフにされている場合でさえも複数のアプリケーションおよび／またはデータを格納するためのＮＡＮＤフラッシュ６１６等の複数の外部メモリデバイスに結合されてもよい。１または複数の実施形態において、情報処理システム６００を、および／または、本明細書で説明された様式で動作するその複数のコンポーネントもしくは複数のサブシステムのいずれかを操作または構成する複数の命令が、非一時的記憶媒体を含む製造品上に格納されてもよい。１または複数の実施形態において、記憶媒体は、本明細書で示され説明される複数のメモリデバイスのいずれかを備えてもよいが、特許請求の範囲に記載された主題の範囲はこの点で限定されない。ベースバンドプロセッサ６１２は、情報処理システム６００用の複数の広帯域無線機能を制御してもよい。ベースバンドプロセッサ６１２は、そのような複数の広帯域無線機能を制御するためのコードをＮＯＲフラッシュ６１８に格納してもよい。ベースバンドプロセッサ６１２は、例えば、３ＧＰＰ  ＬＴＥまたはＬＴＥ−Ａｄｖａｎｃｅｄネットワーク等を介して通信するための複数の広帯域ネットワーク信号を変調および／または復調するのに用いられる無線広域エリアネットワーク（ＷＷＡＮ）送受信機６２０を制御する。
【００２７】
概して、ＷＷＡＮ送受信機６２０は、以下の複数の無線通信技術、および／または、それを含む複数の規格の任意の１または複数に従って動作してもよいが、これらに限定されない：Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））無線通信技術、汎用パケット無線サービス（ＧＰＲＳ）無線通信技術、Ｅｎｈａｎｃｅｄ  Ｄａｔａ  Ｒａｔｅｓ  ｆｏｒ  ＧＳＭ（登録商標）  Ｅｖｏｌｕｔｉｏｎ（ＥＤＧＥ）無線通信技術、および／または、第３世代パートナーシッププロジェクト（３ＧＰＰ）無線通信技術、例えば、ユニバーサル移動通信システム（ＵＭＴＳ）、Ｆｒｅｅｄｏｍ  ｏｆ  Ｍｕｌｔｉｍｅｄｉａ  Ａｃｃｅｓｓ（ＦＯＭＡ）、３ＧＰＰロングタームエボリューション（ＬＴＥ）、３ＧＰＰアドバンスドロングタームエボリューション（ＬＴＥ−Ａｄｖａｎｃｅｄ）、符号分割多重アクセス２０００（ＣＤＭＡ２０００）、セルラデジタルパケットデータ（ＣＤＰＤ）、モビテックス、第３世代（３Ｇ）、回路交換データ（ＣＳＤ）、高速回路交換データ（ＨＳＣＳＤ）、ユニバーサル移動通信システム（第３世代）（ＵＭＴＳ（３Ｇ））、広帯域符号分割多重アクセス（ユニバーサル移動通信システム）（Ｗ−ＣＤＭＡ（ＵＭＴＳ））、高速パケットアクセス（ＨＳＰＡ）、高速ダウンリンクパケットアクセス（ＨＳＤＰＡ）、高速アップリンクパケットアクセス（ＨＳＵＰＡ）、高速パケットアクセスプラス（ＨＳＰＡ＋）、ユニバーサル移動通信システム−時分割複信（ＵＭＴＳ−ＴＤＤ）、時分割符号分割多重アクセス（ＴＤ−ＣＤＭＡ）、時分割同期符号分割多重アクセス（ＴＤ−ＣＤＭＡ）、第３世代パートナーシッププロジェクトリリース８（第４世代の前）（３ＧＰＰリリース８（Ｐｒｅ−４Ｇ））、ＵＭＴＳ地上無線アクセス（ＵＴＲＡ）、進化型ＵＭＴＳ地上無線アクセス（Ｅ−ＵＴＲＡ）、アドバンスドロングタームエボリューション（第４世代）（ＬＴＥ−Ａｄｖａｎｃｅｄ（４Ｇ））、ｃｄｍａＯｎｅ（２Ｇ）、符号分割多重アクセス２０００（第３世代）（ＣＤＭＡ２０００（３Ｇ））、Ｅｖｏｌｕｔｉｏｎ−Ｄａｔａ  Ｏｐｔｉｍｉｚｅｄ  ｏｒ  Ｅｖｏｌｕｔｉｏｎ−Ｄａｔａ  Ｏｎｌｙ（ＥＶ−ＤＯ）、高度携帯電話システム（第１世代）（ＡＭＰＳ（１Ｇ））、トータルアクセス通信システム／拡張トータルアクセス通信システム（ＴＡＣＳ／ＥＴＡＣＳ）、デジタルＡＭＰＳ（第２世代）（Ｄ−ＡＭＰＳ（２Ｇ））、プッシュツートーク（ＰＴＴ）、移動電話システム（ＭＴ）、Ｉｍｐｒｏｖｅｄ移動電話システム（ＩＭＴＳ）、Ａｄｖａｎｃｅｄ移動電話システム（ＡＭＴＳ）、ＯＬＴ（パブリックランドモバイルテレフォニー、ノルウェー語でＯｆｆｅｎｔｌｉｇ  Ｌａｎｄｍｏｂｉｌ  Ｔｅｌｅｆｏｎｉ）、ＭＴＤ（モバイルテレフォニーシステムＤのスウェーデン語Ｍｏｂｉｌｔｅｌｅｆｏｎｉｓｙｓｔｅｍ  Ｄの略称、またはＭｏｂｉｌｅ  ｔｅｌｅｐｈｏｎｙ  ｓｙｓｔｅｍ  Ｄ）、Ｐｕｂｌｉｃ  Ａｕｔｏｍａｔｅｄ  Ｌａｎｄ  Ｍｏｂｉｌｅ（Ａｕｔｏｔｅｌ／ＰＡＬＭ）、ＡＲＰ（「カーラジオフォン」、フィンランド語でＡｕｔｏｒａｄｉｏｐｕｈｅｌｉｎ）、ＮＭＴ（ノルディックモバイルテレフォニー���、Ｈｉｇｈ  ｃａｐａｃｉｔｙ  ｖｅｒｓｉｏｎ  ｏｆ  ＮＴＴ（日本電信電話）（Ｈｉｃａｐ）、セルラデジタルパケットデータ（ＣＤＰＤ）、モビテックス、ＤａｔａＴＡＣ、Ｉｎｔｅｇｒａｔｅｄ  Ｄｉｇｉｔａｌ  Ｅｎｈａｎｃｅｄ  Ｎｅｔｗｏｒｋ（ｉＤＥＮ）、パーソナルデジタルセルラ（ＰＤＣ）、回路交換データ（ＣＳＤ）、Ｐｅｒｓｏｎａｌ  Ｈａｎｄｙ−ｐｈｏｎｅ  Ｓｙｓｔｅｍ（ＰＨＳ）、Ｗｉｄｅｂａｎｄ  Ｉｎｔｅｇｒａｔｅｄ  Ｄｉｇｉｔａｌ  Ｅｎｈａｎｃｅｄ  Ｎｅｔｗｏｒｋ（ＷｉＤＥＮ）、ｉＢｕｒｓｔ、３ＧＰＰジェネリックアクセスネットワークまたはＧＡＮ規格とも称される免許不要モバイルアクセス（ＵＭＡ）、Ｚｉｇｂｅｅ（登録商標）、Ｂｌｕｅｔｏｏｔｈ（登録商標）、並びに／もしくは、一般的な複数のテレメトリ送受信機、かつ、概して、任意のタイプのＲＦ回路またはＲＦＩ高感度回路。そのような複数の規格は経年的に進化し得、および／または、複数の新たな規格が普及され得ることに留意すべきである。特許請求の範囲に記載された主題の範囲は、この点で限定されない。
【００２８】
ＷＷＡＮ送受信機６２０は、ＷＷＡＮ広帯域ネットワークを介して複数の無線周波数信号を送信および受信するための１または複数のアンテナ６２４にそれぞれ結合された、１または複数の電力増幅器６４２に結合する。ベースバンドプロセッサ６１２はまた、１または複数の適切なアンテナ６２８に結合された無線ローカルエリアネットワーク（ＷＬＡＮ）送受信機６２６を制御してもよい。無線ローカルエリアネットワーク（ＷＬＡＮ）送受信機６２６は、Ｗｉ−Ｆｉ（登録商標）、Ｂｌｕｅｔｏｏｔｈ（登録商標）、および／または、ＩＥＥＥ８０２．１１  ａ／ｂ／ｇ／ｎ規格等を含む振幅変調（ＡＭ）もしくは周波数変調（ＦＭ）無線規格を介して、通信可能であってもよい。これらは、単に、アプリケーションプロセッサ６１０およびベースバンドプロセッサ６１２用の例示的な実装形態であることに留意すべきである。特許請求の範囲に記載された主題の範囲は、これらの点で限定されない。例えば、ＳＤＲＡＭ６１４、ＮＡＮＤフラッシュ６１６、および／または、ＮＯＲフラッシュ６１８の任意の１または複数は、磁気メモリ、カルコゲニドメモリ、相変化メモリ、または、オボニックメモリ等の他の複数のタイプのメモリ技術を含んでもよく、特許請求の範囲に記載された主題の範囲はこの点で限定されない。
【００２９】
１または複数の実施形態において、アプリケーションプロセッサ６１０は、様々な情報またはデータを表示するためのディスプレイ６３０を駆動してもよく、さらに、タッチスクリーン６３２を介してユーザからのタッチ入力を、例えば指またはスタイラスで受信してもよい。環境光センサ６３４は、例えば、環境光センサ６３４によって検出される環境光の強度の関数としての、ディスプレイ６３０に対する輝度値またはコントラスト値を制御するべく、情報処理システム６００が動作している場所での環境光の量を検出するのに利用されてもよい。１または複数のカメラ６３６は、アプリケーションプロセッサ６１０により処理される、および／またはＮＡＮＤフラッシュ６１６に少なくとも一時的に格納された複数の画像をキャプチャするのに用いられてもよい。さらに、アプリケーションプロセッサは、情報処理システム６００の位置、動き、および／または、向きを含む様々な環境特性の検出用に、ジャイロスコープ６３８、加速度計６４０、磁力計６４２、オーディオコーダ／デコーダ（コーデック）６４４、および／または適切な全地球測位システム（ＧＰＳ）アンテナ６４８に結合されたＧＰＳコントローラ６４６に結合してもよい。代わりに、コントローラ６４６は、全地球ナビゲーション衛星システム（ＧＮＳＳ）コントローラを備えてもよい。オーディオコーデック６４４は、複数のオーディオポート６５０を介して情報処理システムに結合された複数の内部デバイスおよび複数の外部デバイスを介して、またはそれらのいずれか一方を介して、例えばヘッドフォンおよびマイクジャックを介して、マイク入力および複数のスピーカ出力を提供する１または複数のオーディオポート６５０に結合されてもよい。これに加えて、アプリケーションプロセッサ６１０は、ユニバーサルシリアルバス（ＵＳＢ）ポート、ハイデフィニションマルチメディアインタフェース（ＨＤＭＩ（登録商標））ポート、シリアルポート等の、１または複数の入力／出力（Ｉ／Ｏ）ポート６５４に結合した１または複数のＩ／Ｏ送受信機６５２に結合してもよい。さらに、複数のＩ／Ｏ送受信機６５２の１または複数は、セキュアデジタル（ＳＤ）カードまたは加入者識別モジュール（ＳＩＭ）カード等の任意のリムーバブルメモリ用の１または複数のメモリスロット６５６に結合してもよいが、特許請求の範囲に記載された主題の範囲はこれらの点で限定されない。
【００３０】
図７は、１または複数の実施形態によるタッチスクリーンを任意に含んでよい図６の情報処理システムの等角図である。図７は、セルラ電話、スマートフォン、またはタブレットタイプデバイス等として実体的に具現化される図６の情報処理システム６００の例示的実装を示す。情報処理システム６００は、触覚入力制御および複数のコマンドを、１または複数のアプリケーションプロセッサ６１０を制御するべく、ユーザの指７１６を介して、および／またはスタイラス７１８を介して受信するためのタッチスクリーン６３２を含んでよいディスプレイ６３０を有する筐体７１０を備えてもよい。筐体７１０は、情報処理システム６００の１または複数のコンポーネント、例えば、１または複数のアプリケーションプロセッサ６１０、ＳＤＲＡＭ６１４、ＮＡＮＤフラッシュ６１６、ＮＯＲフラッシュ６１８、ベースバンドプロセッサ６１２、および／またはＷＷＡＮ送受信機６２０の１または複数を収容してよい。情報処理システム６００は、さらに、１または複数のボタンもしくはスイッチを介して情報処理システムを制御するためのキーボードまたは複数のボタンを備えてもよい物理アクチュエータ面積７２０を任意に含んでもよい。情報処理システム６００は、また、フラッシュメモリ等の不揮発性メモリを受信するためのメモリポートまたはスロット６５６を、例えばセキュアデジタル（ＳＤ）カードまたは加入者識別モジュール（ＳＩＭ）カードの形態で含んでもよい。任意に、情報処理システム６００は、さらに、１または複数のスピーカおよび／またはマイクロフォン７２４ならびに情報処理システム６００を別の電子デバイス、ドック、ディスプレイ、バッテリ充電器等に接続するための接続ポート６５４をさらに含んでもよい。加えて、情報処理システム６００は、筐体７１０の１または複数の側面上に、ヘッドフォンまたはスピーカジャック７２８および１または複数のカメラ６３６を含んでもよい。図７の情報処理システム６００は、様々な配置において、示されるものより多くのまたは少ない要素を含んでよく、特許請求の範囲に記載された主題の範囲は、この点で限定されないことに留意すべきである。
【００３１】
特許請求の範囲に記載された主題がある程度の詳細さで説明されたが、それの複数の要素は、特許請求の範囲に記載された主題の主旨および／または範囲から逸脱せずに、当業者によって変更され得ることが認識されるべきである。
デュアル接続性における同時スケジューリング要求送信およびその付随するユティリティの多くに関する主題は、前述の説明によって理解されるであろうと思われ、様々な変更が、特許請求の範囲に記載された主題の範囲および／または主旨から逸脱せずに、または、その複数の材料的な利点の全てを犠牲にせずに、および／または、さらに、これに対する実質的な変更を提供せずに、それの複数のコンポーネントの形態、構築および／または配置でなされ得ることは明らかであり、本明細書で前に説明された形態はそれの単に提示的な実施形態のことである。
そのような複数の変更を包含および／または含むことは、特許請求の範囲の意図するところである。
［項目１］
複数の同時スケジューリング要求送信を処理する装置であって、
送受信機と、
上記送受信機に結合されたプロセッサと、
上記プロセッサに結合されたメモリとを備え、上記メモリにおける複数の命令は、上記プロセッサが、
第１のセルグループについての第１のスケジューリング要求送信を受信し、第２のセルグループについての第２のスケジューリング要求送信を受信し、
上記第１のスケジューリング要求および上記第２のスケジューリング要求の一方がより高い優先度を有し、上記第１のスケジューリング要求および上記第２のスケジューリング要求の他方がより低い優先度を有することを決定し、
より低い優先度を有する上記スケジューリング要求を処理せずに、より高い優先度を有する上記スケジューリング要求を処理する、ように構成される、装置。
［項目２］
上記メモリにおける複数の命令は、上記プロセッサがより早く受信されたスケジューリング要求に対してより高い優先度を割り当て、後で受信されるスケジューリング要求に対してより低い優先度を割り当てるようにさらに構成される、項目１に記載の装置。
［項目３］
上記メモリにおける複数の命令は、上記プロセッサがマスタセルグループから受信されたスケジューリング要求に対してより高い優先度を割り当て、セカンダリセルグループから受信されたスケジューリング要求に対してより低い優先度を割り当てるようにさらに構成される、項目１または２に記載の装置。
［項目４］
上記メモリにおける複数の命令は、上記プロセッサがより低い優先度を有する上記スケジューリング要求の処理を次の利用可能なスケジューリング要求リソースまで遅延させるようにさらに構成される、項目１から３のいずれか一項に記載の装置。
［項目５］
上記メモリにおける複数の命令は、上記プロセッサが、
より低い優先度を有する上記スケジューリング要求送信をドロップし、
より低い優先度を有する上記スケジューリング要求送信がドロップされたことを、媒体アクセス制御（ＭＡＣ）層に対して示す、ようにさらに構成される、
項目１から４のいずれか一項に記載の装置。
［項目６］
上記メモリにおける複数の命令は、上記プロセッサが物理アップリンク制御チャネル（ＰＵＣＣＨ）において、スケジューリング要求が処理されていることをシグナリングするようにさらに構成される、項目１から５のいずれか一項に記載の装置。
［項目７］
上記メモリにおける複数の命令は、上記プロセッサが、
マスタセルグループからスケジューリング要求送信が受信される場合、現在処理されているセカンダリセルグループからのスケジューリング要求をドロップし、
上記マスタセルグループについての上記スケジューリング要求を処理する、ようにさらに構成される、
項目１から６のいずれか一項に記載の装置。
［項目８］
上記メモリにおける複数の命令は、上記プロセッサが、
媒体アクセス制御（ＭＡＣ）層において、マスタセルグループおよびセカンダリセルグループの両方に用いられるスケジューリング要求禁止タイマを提供し、
物理（ＰＨＹ）層が、後で受信されるスケジューリング要求のために物理アップリンク制御チャネル（ＰＵＣＣＨ）においてスケジューリング要求をシグナリングするのを防ぐ、ようにさらに構成される、
項目１から７のいずれか一項に記載の装置。
［項目９］
上記メモリにおける複数の命令は、上記プロセッサが、
媒体アクセス制御（ＭＡＣ）層におけるマスタセルグループのための第１のスケジューリング要求禁止タイマを提供し、
上記ＭＡＣ層におけるセカンダリセルグループのための第２のスケジューリング要求禁止タイマを提供し、
上記マスタセルグループおよび上記セカンダリセルグループのうち一方のために後で受信されるスケジューリング要求の処理を、上記マスタセルグループおよび上記セカンダリセルグループのうちの他方のために処理されている任意の進行中のスケジューリング要求がある場合に次のスケジューリング要求まで遅延させる、ようにさらに構成される、
項目１から８のいずれか一項に記載の装置。
［項目１０］
複数の同時スケジューリング要求送信を設定する装置であって、
送受信機と、
上記送受信機に結合されたプロセッサと、
上記プロセッサに結合されたメモリと、を備え、上記メモリにおける複数の命令は、上記プロセッサが、
システム無線ベアラ（ＳＲＢ）において、第１のセルグループのための第１のスケジューリング要求の設定およびセカンダリセルグループのための第２のスケジューリング要求の第２の構成を組み合わせ、
ユーザ機器（ＵＥ）にＳＲＢを送信し、上記第１のスケジューリング要求および上記第２のスケジューリング要求を処理するように構成される、
装置。
［項目１１］
上記第１のスケジューリング要求は、上記第１のセルグループの進化型ノードＢ（ＭｅＮＢ）により構成され、上記第２のスケジューリング要求は、上記セカンダリセルグループのセカンダリ進化型ノードＢ（ＳｅＮＢ）により構成される、項目１０に記載の装置。
［項目１２］
上記第１のスケジューリング要求は、上記第１のセルグループの進化型ノードＢ（ＭｅＮＢ）により構成され、上記第２のスケジューリング要求は、上記セカンダリセルグループのセカンダリ進化型ノードＢ（ＳｅＮＢ）のための上記ＭｅＮＢにより設定される、項目１０または１１に記載の装置。
［項目１３］
上記第１のスケジューリング要求および上記第２のスケジューリング要求は互いに重複しない、項目１０から１２のいずれか一項に記載の装置。
［項目１４］
上記第１のスケジューリング要求および上記第２のスケジューリング要求が、少なくとも部分的に重複しているか、または完全に重複している場合、上記ＵＥは、上記第１のスケジューリング要求および上記第２のスケジューリング要求のどちらを処理するか決定する、項目１０から１３のいずれか一項に記載の装置。
［項目１５］
複数の命令が格納されている非一時的媒体を備える製造品であって、実行された場合、
第１のセルグループのための第１のスケジューリング要求送信および第２のセルグループのための第２のスケジューリング要求送信を受信する手順と、
上記第１のスケジューリング要求および上記第２のスケジューリング要求の一方がより高い優先度を有し、上記第１のスケジューリング要求および上記第２のスケジューリング要求の他方がより低い優先度を有することを決定する手順と、
より低い優先度を有する上記スケジューリング要求を処理せずに、より高い優先度を有する上記スケジューリング要求を処理する手順と、をもたらす、製造品。
［項目１６］
上記決定する手順は、より早く受信されるスケジューリング要求により高い優先度を割り当て、後で受信されるスケジューリング要求により低い優先度を割り当てる手順を有する、項目１５に記載の製造品。
［項目１７］
上記決定する手順は、マスタセルグループから受信されるスケジューリング要求により高い優先度を割り当て、セカンダリセルグループから受信されるスケジューリング要求により低い優先度を割り当てる手順を備える、項目１５または１６に記載の製造品。
［項目１８］
上記複数の命令は、実行された場合、より低い優先度を有する上記スケジューリング要求の処理を、次の利用可能なスケジューリング要求リソースまで遅延させる手順を有することをさらにもたらす、項目１５から１７のいずれか一項に記載の製造品。
［項目１９］
上記複数の命令は、実行された場合、
より低い優先度を有する上記スケジューリング要求送信をドロップする手順と、
より低い優先度を有する上記スケジューリング要求送信がドロップされたことを、媒体アクセス制御（ＭＡＣ)層に示す手順と、をさらにもたらす、
項目１５から１８のいずれか一項に記載の製造品。
［項目２０］
上記複数の命令は、実行された場合、物理アップリンク制御チャネル（ＰＵＣＣＨ）において、スケジューリング要求が処理されていることをシグナリングする手順をさらにもたらす、項目１５から１９のいずれか一項に記載の製造品。
［項目２１］
上記複数の命令は、実行された場合、
マスタセルグループからのスケジューリング要求送信が受信された場合、現在処理されているセカンダリセルグループからスケジューリング要求をドロップする手順と、
上記マスタセルグループのために上記スケジューリング要求を処理する手順と、
をさらにもたらす、項目１５から２０のいずれか一項に記載の製造品。
［項目２２］
上記複数の命令は、実行された場合、
媒体アクセス制御（ＭＡＣ）層において、マスタセルグループおよびセカンダリセルグループの両方に用いられるスケジューリング要求禁止タイマを提供する手順と、
物理（ＰＨＹ）層が、後で受信されるスケジューリング要求のための物理アップリンク制御チャネル（ＰＵＣＣＨ）においてスケジューリング要求をシグナリングすることを防止する手順と、をさらにもたらす、
項目１５から２１のいずれか一項に記載の製造品。
［項目２３］
上記複数の命令は、実行された場合、
媒体アクセス制御（ＭＡＣ）層におけるマスタセルグループのための第１のスケジューリング要求禁止タイマを提供する手順と、
上記ＭＡＣ層におけるセカンダリセルグループのための第２のスケジューリング要求禁止タイマを提供する手順と、
上記マスタセルグループおよび上記セカンダリセルグループのうち一方のために後で受信されるスケジューリング要求の処理を、上記マスタセルグループおよび上記セカンダリセルグループのうちの他方のために処理されている任意の進行中のスケジューリング要求がある場合に、次のスケジューリング要求まで遅延させる手順と、をさらにもたらす、項目１５から２２のいずれか一項に記載の製造品。
［項目２４］
複数の命令が格納されている非一時的媒体を備える製造品であって、実行された場合、
システム無線ベアラ（ＳＲＢ）において、第１のセルグループのための第１のスケジューリング要求の構成およびセカンダリセルグループのための第２のスケジューリング要求の第２の構成を組み合わせる手順と、
ユーザ機器（ＵＥ）に上記ＳＲＢを送信し、上記第１のスケジューリング要求および上記第２のスケジューリング要求を処理する手順と、
をもたらす、製造品。
［項目２５］
上記第１のスケジューリング要求は、上記第１のセルグループのマスタ進化型ノードＢ（ＭｅＮＢ）により構成され、上記第２のスケジューリング要求は、上記セカンダリセルグループのセカンダリ進化型ノードＢ（ＳｅＮＢ）により構成される、項目２４に記載の製造品。
［項目２６］
上記第１のスケジューリング要求は、上記第１のセルグループのマスタ進化型ノードＢ（ＭｅＮＢ）により構成され、上記第２のスケジューリング要求は、上記セカンダリセルグループのセカンダリ進化型ノードＢ（ＳｅＮＢ）のための上記ＭｅＮＢにより構成される、項目２４または２５に記載の製造品。
［項目２７］
上記第１のスケジューリング要求および上記第２のスケジューリング要求は互いに重複しない、項目２４から２６のいずれか一項に記載の製造品。
［項目２８］
上記ＵＥは、上記第１のスケジューリング要求および上記第２のスケジューリング要求が、少なくとも部分的に重複しているか、または完全に重複している場合、上記第１のスケジューリング要求および上記第２のスケジューリング要求のどちらを処理するか決定する、項目２４から２７のいずれか一項に記載の製造品。
［項目２９］
複数の同時スケジューリング要求送信を処理する方法であって、
第１のセルグループについての第１のスケジューリング要求送信および第２のセルグループについての第２のスケジューリング要求送信を受信する段階と、
上記第１のスケジューリング要求および上記第２のスケジューリング要求の一方がより高い優先度を有し、上記第１のスケジューリング要求および上記第２のスケジューリング要求の他方がより低い優先度を有することを決定する段階と、
より低い優先度を有する上記スケジューリング要求を処理せずに、より高い優先度を有する上記スケジューリング要求を処理する段階と、
を備える、方法。
［項目３０］
上記決定する段階は、より早く受信されたスケジューリング要求に対してより高い優先度を割り当て、後で受信されたスケジューリング要求に対してより低い優先度を割り当てる段階を有する、項目２９に記載の方法。
［項目３１］
上記決定する段階は、マスタセルグループから受信されたスケジューリング要求に対してより高い優先度を割り当て、セカンダリセルグループから受信されたスケジューリング要求に対してより低い優先度を割り当てる段階を有する、項目２９または３０に記載の方法。
［項目３２］
より低い優先度を有する上記スケジューリング要求の処理を次の利用可能なスケジューリング要求リソースまで遅延させる段階をさらに備える、項目２９から３１のいずれか一項に記載の方法。
［項目３３］
より低い優先度を有する上記スケジューリング要求送信をドロップする段階と、
より低い優先度を有する上記スケジューリング要求送信がドロップされたことを、媒体アクセス制御（ＭＡＣ）層に対して示す段階と、
をさらに備える、項目２９から３２のいずれか一項に記載の方法。
［項目３４］
物理アップリンク制御チャネル（ＰＵＣＣＨ）において、スケジューリング要求が処理されていることをシグナリングする段階をさらに備える、項目２９から３３のいずれか一項に記載の方法。
［項目３５］
マスタセルグループからスケジューリング要求送信が受信される場合、現在処理されているセカンダリセルグループからのスケジューリング要求をドロップする段階と、
上記マスタセルグループについての上記スケジューリング要求を処理する段階と、
をさらに備える、項目２９から３４のいずれか一項に記載の方法。
［項目３６］
媒体アクセス制御（ＭＡＣ）層において、マスタセルグループおよびセカンダリセルグループの両方に用いられるスケジューリング要求禁止タイマを提供する段階と、
物理（ＰＨＹ）層が、後で受信されるスケジューリング要求のために物理アップリンク制御チャネル（ＰＵＣＣＨ）においてスケジューリング要求をシグナリングすることを防止する段階と、
をさらに備える、項目２９から３５のいずれか一項に記載の方法。
［項目３７］
媒体アクセス制御（ＭＡＣ）層においてマスタセルグループのための第１のスケジューリング要求禁止タイマを提供する段階と、
上記ＭＡＣ層におけるセカンダリセルグループのための第２のスケジューリング要求禁止タイマを提供する段階と、
上記マスタセルグループおよび上記セカンダリセルグループのうち一方のために後で受信されるスケジューリング要求の処理を、上記マスタセルグループおよび上記セカンダリセルグループのうちの他方のために処理されている任意の進行中のスケジューリング要求がある場合に、次のスケジューリング要求まで遅延させる段階と、をさらに備える、
項目２９から３６のいずれか一項に記載の方法。
［項目３８］
システム無線ベアラ（ＳＲＢ）において、第１のセルグループのための第１のスケジューリング要求の構成およびセカンダリセルグループのための第２のスケジューリング要求の第２の構成を組み合わせる段階と、
ユーザ機器（ＵＥ）に上記ＳＲＢを送信し、上記第１のスケジューリング要求および上記第２のスケジューリング要求を処理する段階と、
を備える、同時スケジューリング要求送信を設定する方法。
［項目３９］
上記第１のスケジューリング要求は、上記第１のセルグループのマスタ進化型ノードＢ（ＭｅＮＢ）により構成され、上記第２のスケジューリング要求は、上記セカンダリセルグループのセカンダリ進化型ノードＢ（ＳｅＮＢ）により構成される、項目３８に記載の方法。
［項目４０］
上記第１のスケジューリング要求は、上記第１のセルグループのマスタ進化型ノードＢ（ＭｅＮＢ）により構成され、上記第２のスケジューリング要求は、上記セカンダリセルグループのセカンダリ進化型ノードＢ（ＳｅＮＢ）のための上記ＭｅＮＢにより構成される、項目３８または３９に記載の方法。
［項目４１］
上記第１のスケジューリング要求および上記第２のスケジューリング要求は互いに重複しない、項目３８から４０のいずれか一項に記載の方法。
［項目４２］
上記第１のスケジューリング要求および上記第２のスケジューリング要求が少なくとも部分的に重複しているか、または完全に重複している場合、上記ＵＥは、上記第１のスケジューリング要求および上記第２のスケジューリング要求のどちらを処理するか決定する、項目３８から４１のいずれか一項に記載の方法。
［項目４３］
項目２９から４２のいずれか一項に記載の方法を実行する手段を備える、装置。
［項目４４］
実行された場合、項目１から１４および２９から４３のうちいずれか一項に記載の方法または装置を実装または実現する複数の機械可読命令を含む、機械可読記憶装置。
［項目４５］
複数の命令が格納されているプログラムであって、実行された場合、
システム無線ベアラ（ＳＲＢ）において、第１のセルグループのための第１のスケジューリング要求の設定およびセカンダリセルグループのための第２のスケジューリング要求の第２の設定を組み合わせる手順と、
ユーザ機器（ＵＥ）に前記ＳＲＢを送信し、前記第１のスケジューリング要求および前記第２のスケジューリング要求を処理する手順と、
をもたらす、プログラム。
［項目４６］
前記第１のスケジューリング要求は、前記第１のセルグループのマスタ進化型ノードＢ（ＭｅＮＢ）により設定され、前記第２のスケジューリング要求は、前記セカンダリセルグループのセカンダリ進化型ノードＢ（ＳｅＮＢ）により設定される、項目４５に記載のプログラム。
［項目４７］
前記第１のスケジューリング要求は、前記第１のセルグループのマスタ進化型ノードＢ（ＭｅＮＢ）により設定され、前記第２のスケジューリング要求は、前記セカンダリセルグループのセカンダリ進化型ノードＢ（ＳｅＮＢ）のための前記ＭｅＮＢにより設定される、項目４５または４６に記載のプログラム。
［項目４８］
前記第１のスケジューリング要求および前記第２のスケジューリング要求は互いに重複しない、項目４５から４７のいずれか一項に記載のプログラム。
［項目４９］
前記第１のスケジューリング要求および前記第２のスケジューリング要求が、少なくとも部分的に重複しているか、または完全に重複している場合、前記ＵＥは、前記第１のスケジューリング要求および前記第２のスケジューリング要求のどちらを処理するか決定する、項目４５から４８のいずれか一項に記載のプログラム。
【図１】
0006382333.tif 000002
【図２】
0006382333.tif 000003
【図３】
0006382333.tif 000004
【図４】
0006382333.tif 000005
【図５】
0006382333.tif 000006
【図６】
0006382333.tif 000007
【図７】
0006382333.tif 000008